(57)【要約】      （修正有）【課題】パネルが嵌め込まれていなくても、移動する際にフレーム体が折れ曲がったり分解することがない移動式パーティションを提供する。【解決手段】矩形状パネルを囲んで保持するフレーム体と、フレーム体を移動可能にするキャスター部とを備えており、フレーム体は、縦方向に延在する一対の縦フレーム１０と、横方向に延在する一対の横フレーム１１とを備え、縦フレーム１０は、縦方向に沿って内側に向けて開口する表面側及び裏面側に設けられた一対の溝部１０ｃと、上下部に設けられた内側に向けて開口する切欠き部１０ａとを備え、横フレーム１１は、切欠き部１０ａに嵌め込まれて各溝部１０ｃの間に配置されるセンターフレーム１１ａを備え、パネルは溝部１０ｃに沿って抜き差し自在とする。【選択図】図４
0003147183.tif 000002
【実用新案登録請求の範囲】
【請求項１】
矩形状パネルを囲んで保持するフレーム体と、前記フレーム体を移動可能にするキャスター部とを備えており、
前記フレーム体は、縦方向に延在する一対の縦フレームと、横方向に延在する一対の横フレームとを備え、
前記縦フレームは、縦方向に沿って内側に向けて開口する表面側及び裏面側に設けられた一対の溝部と、上下部に設けられた内側に向けて開口する切欠き部とを備え、
前記横フレームは、前記切欠き部に嵌め込まれて前記各溝部の間に配置されるセンターフレームを備え、
前記パネルは前記溝部に沿って抜き差し自在とすることを特徴とする移動式パーティション。
【請求項２】
前記横フレームは、前記センターフレームの両側に前記各縦フレームへ挿入可能なインサート部を備えることを特徴とする請求項１に記載の移動式パーティション。
【請求項３】
前記縦フレームは、複数の前記フレーム体を連結して折り畳み可能とするヒンジ部を備えることを特徴とする請求項１又は２に記載の移動式パーティション。
【考案の詳細な説明】
【技術分野】
【０００１】
本考案は、ビルや住宅等の部屋を仕切るためのパネル交換可能な移動式パーティションに関する。
【背景技術】
【０００２】
パーティションは、ビルや住宅等の部屋に配置されて空間を仕切る。パーティションは、スチール製あるいはアルミニウム製のフレーム体に、ガラス、プラスチック或いは合板等からなるパネルを嵌め込んで構成される。そして、パーティションは、部屋の好きな場所に移動できるようにキャスター部を備えたものがある。また、パーティションは、用途等に合わせて様々な模様や素材のパネルを交換できるものがある。
【０００３】
ところで、上記したパネル交換可能な移動式のパーティションは、従来の構成では、単に断面コ字状のフレーム体にパネルを嵌め込むだけの簡単な構造なので、フレーム体の強度が弱く、移動する際にパネルが嵌め込まれていなければ、フレーム体が折れ曲がったり、ばらばらに分解することがあった。
【考案の開示】
【考案が解決しようとする課題】
【０００４】
そこで、本考案が解決しようとする課題は、パネルが嵌め込まれていなくても、移動する際にフレーム体が折れ曲がったり分解することがないパネル交換可能な移動式パーティションを提供することである。
【課題を解決するための手段】
【０００５】
上記課題を解決するために、本考案に係る移動式パーティションは、
矩形状パネルを囲んで保持するフレーム体と、フレーム体を移動可能にするキャスター部とを備えており、
フレーム体は、縦方向に延在する一対の縦フレームと、横方向に延在する一対の横フレームとを備え、
縦フレームは、縦方向に沿って内側に向けて開口する表面側及び裏面側に設けられた一対の溝部と、上下部に設けられた内側に向けて開口する切欠き部とを備え、
横フレームは、切欠き部に嵌め込まれて各溝部の間に配置されるセンターフレームを備え、
パネルは溝部に沿って抜き差し自在とする。
【０００６】
好ましくは、横フレームは、前記センターフレームの両側に各縦フレームへ挿入可能なインサート部を備える。
【０００７】
好ましくは、縦フレームは、複数のフレーム体を連結して折り畳み可能とするヒンジ部を備える。
【考案の効果】
【０００８】
本考案に係る移動式パーティションは、上記の通り、縦フレームが、縦方向に沿って内側に向けて開口する表面側及び裏面側に設けられた一対の溝部と、上下部に設けられた内側に向けて開口する切欠き部とを備え、横フレームが、切欠き部に嵌め込まれて各溝部の間に配置されるセンターフレームを備え、パネルは溝部に沿って抜き差し自在とする。
【０００９】
これにより、横フレームのセンターフレームが、縦フレームの上下部にある切欠き部に嵌め込まれることによって、各縦フレームの傾きを規制できるから、フレーム体の構造が強固となる。従って、本考案によれば、フレーム体は、センターフレームを縦フレームの中央部分に嵌め込んで位置固定する構造からなり、パネルが嵌め込まれていなくても構造的に強固で、移動する際等において、折れ曲がったり分解することがない。また、センターフレームは、縦フレームに設けられた一対の溝部の間に配置されるので、パネルを溝部に沿って抜き差しして交換できるようになっている。
【考案を実施するための最良の形態】
【００１０】
以下、添付図面に基づいて、本考案に係る移動式パーティションについて説明する。
【００１１】
図１は、本考案に係る移動式パーティションを示す斜視図である。移動式パーティションは、矩形状パネル２を囲んで保持するフレーム体１と、フレーム体１を移動可能にするキャスター部３とを備える。本実施形態の移動式パーティションは、３つのフレーム体１が、複数のヒンジ部１２を介して回転可能に連結されており、収納時等に折り畳んだり、好きな角度に折り曲げたりできるように構成されている。
【００１２】
図２は、フレーム体を分解して示す正面図である。図３は、縦フレームの一部を示す拡大図で、図３Ａは図２のＩ方向から見た図、図３Ｂは図３ＡのＩＩ−ＩＩ線断面図である。図４は、縦フレームと横フレームとの組み立て方法を示す斜視図である。
【００１３】
図２の通り、フレーム体１は、左右に設けられた縦方向（鉛直方向）に延在する一対の縦フレーム１０と、上下に設けられた横方向（水平方向）に延在する一対の横フレーム１１とを備える。縦フレーム１０は、隣り合うフレーム体１を回転可能に連結するための複数のヒンジ部１２を備える。
【００１４】
横フレーム１１は、横方向に延在するセンターフレーム１１ａと、センターフレーム１１ａの両側に設けられ縦方向に延在する一対のインサート部１１ｂとを備える。縦フレーム１０は、中空部１０ｂを有する筒状部材で構成され（図３Ｂ）、横フレーム１１は、そのインサート部１１ｂを上下方向から縦フレームの中空部１０ｂの挿入して、ボルト等の連結部材１５を介して組み立てられる。これにより、容易にフレーム体１を分解又は組み立て可能とする。そして、横フレーム１１を被せる上下カバー１３が取付けられ、ボルト等の連結部材１６によって、下部にキャスター部３を取り付けるための脚部３０が接続される。
【００１５】
図３の通り、縦フレーム１０は、縦方向に沿って延在する一対の溝部１０ｃを有する。溝部１０ｃは、内側（一組の縦フレーム１０が互いに向かい合う側）に向けて開口している。溝部１０ｃは、表面側及び裏面側（図２手前側及び奥側）に設けられる。図３Ｂの通り、溝部１０ｃは、縦フレーム１０に設けられた内側に突出する外片１０１及び内片１０２によって形成される。
【００１６】
図２及び図３Ａの通り、縦フレーム１０は、上部及び下部に、切欠き部１０ａが形成されている。図４の通り、切欠き部１０ａは、中空部１０ｂに貫通して内側に向けて開口している。そして、切り欠き部１０ａは、縦フレーム１０に設けられたスペーサー部１０３によって、各溝部１０ｃの間に配置されるように形成されている。そして、縦フレーム１０の上部に形成された切欠き部１０ａは、上方が開口して、横フレーム１１のセンターフレーム１１ａを上方から嵌め込むようになっており、縦フレーム１０の下部に形成された切欠き部１０ａは、下方が開口して、横フレーム１１のセンターフレーム１１ａを下方から嵌め込むようになっている。
【００１７】
切欠き部１０ａは、横フレーム１１のセンターフレーム１１ａがぴたりと嵌め込まれて、がたつかないようになっている。即ち、センターフレーム１１ａは、断面が長方形状に構成されており、切欠き部１０ａは、センターフレーム１１ａの断面形状に適合するように長方形状に切り欠かれている。
【００１８】
よって、図４の通り、横フレーム１１は、インサート部１１ｂが縦フレーム１０の中空部１０ｂに挿入されると共に、センターフレーム１１ａが切欠き部１０ａに嵌め込まれ、スペーサー部１０３及び内片１０２に当たって移動規制されて配置される。そして、センターフレーム１１ａは、各溝部１０ｃの間に配置される。
【００１９】
パネル２は、その厚みが溝部１０ｃの幅に適合したものである。また、切欠き部１０ａは、各溝部１０ｃの間になるよう形成されているので、センターフレーム１１ａは、溝部１０ｃを干渉せず、これよって、パネル２は、表面側及び裏面側において、溝部１０ｃに沿って抜き差しして交換可能となっている。
【００２０】
横フレーム１１のセンターフレーム１１ａが、縦フレーム１０の上下部にある切欠き部１０ａに嵌め込まれることにより、各縦フレーム１０の傾きを規制できるから、フレーム体１の構造が強固となる。従って、フレーム体１は、センターフレーム１１ａを縦フレーム１０の中央部分に嵌め込んで位置固定する構造からなり、パネル２が嵌め込まれていなくても構造的に強固で、移動する際等において、折れ曲がったり分解することがない。また、センターフレーム１１ａは、縦フレーム１０に設けられた一対の溝部１０ｃの間に配置されるので、パネル２を溝部１０ｃに沿って抜き差しして交換できる。
【図面の簡単な説明】
【００２１】
【図１】本考案に係る移動式パーティションを示す斜視図である。
【図２】フレーム体を分解して示す正面図である。
【図３】縦フレームを示す拡大図で、図３Ａは図２のＩ方向から見た図、図３Ｂは図３ＡのＩＩ−ＩＩ線断面図である。
【図４】縦フレームと横フレームとの組み立て方法を示す斜視図である。
【符号の説明】
【００２２】
１  フレーム体
２  パネル
３  キャスター部
１０  縦フレーム
１０ａ  切欠き部
１０ｃ  溝部
１１  横フレーム
１１ａ  センターフレーム
１１ｂ  インサート部
１２  ヒンジ部
【図１】
0003147183.tif 000003
【図２】
0003147183.tif 000004
【図３】
0003147183.tif 000005
【図４】
0003147183.tif 000006